(57)【特許請求の範囲】
【請求項１】
スプレッダのコンテナストッパ取付構造であって、コンテナストッパに設けた掛止爪を、ツイストロックボックスに形成した開口部の下縁に掛止して、前記コンテナストッパを前記ツイストロックボックスに垂下状に支持しかつ前記開口部の下縁に対する前記掛止爪の引っ掛かりにより前記コンテナストッパの脱落を防止した状態で、コンテナストッパをツイストロックボックスに固定部材としてのボルトによって垂下状に固定したスプレッダのコンテナストッパ取付構造。
【請求項２】
前記ツイストロックボックス又は前記コンテナストッパには、掛止爪の掛止後における開口部の残留隙間を封鎖又は狭める補助ストッパを設けた請求項１に記載のスプレッダのコンテナストッパ取付構造。
【発明の詳細な説明】
【０００１】
【発明の属する技術分野】
本発明は、フォークリフトに装着されてコンテナの荷役作業に用いられるスプレッダに係り、詳しくはコンテナに対するスプレッダの位置合わせのために用いられるコンテナストッパの取付構造に関する。
【０００２】
【従来の技術】
フォークリフトのマストに沿って昇降可能なリフトブラケットに装着されるスプレッダは、一般にスプレッダフレームの左右両端部に設けたコンテナ吊下用のツイストロックをコンテナの吊孔に差し込むに際して、それら吊孔に対するツイストロックの位置合わせを行うためのコンテナストッパを備えている。
図５及び図６は従来のコンテナストッパ取付構造を示している。図示のように、コンテナストッパ２２はツイストロックボックス２０に設置されたツイストロック２１の略真後ろに所定間隔を置いて配置され、荷役時にその前面をコンテナＣの後面に当接することによって吊孔Ｃ１に対するツイストロック２１の位置合わせを行うものであるが、従来のコンテナストッパ２２は、その位置合わせ面である前面の上部をツイストロックボックス２０の後壁面に当接した垂下状態で、複数本のボルト２３とナット２４によって取り付けられていた。
【０００３】
【発明が解決しようとする課題】
ところが、上記のような従来のコンテナストッパ取付構造では、荷役作業中において、コンテナストッパ２２がコンテナＣに対して強く当接したような場合、ボルト２３が折損して落下する可能性がある。また、一般にコンテナストッパ２２は重量が約２０Kgもある重量物であることから、コンテナストッパ２２をツイストロックボックス２０に組付けるには、作業の安全性を考慮した場合、コンテナストッパ２２を支える人とボルト締めを行う人との最低二人の作業員を必要とするものであって、組付性が悪いという問題がある。
【０００４】
本発明の目的は、上述の問題点に鑑み、コンテナストッパの落下防止と組付性の向上を図る上で有効なスプレッダのコンテナストッパ取付構造を提供することにある。
【０００５】
【課題を解決するための手段】
上記課題を解決するために、本発明は次のように構成したものである。即ち、請求項１の発明は、スプレッダのコンテナストッパ取付構造であって、コンテナストッパに設けた掛止爪を、ツイストロックボックスに形成した開口部の下縁に掛止して、前記コンテナストッパを前記ツイストロックボックスに垂下状に支持しかつ前記開口部の下縁に対する前記掛止爪の引っ掛かりにより前記コンテナストッパの脱落を防止した状態で、コンテナストッパをツイストロックボックスに固定部材としてのボルトによって垂下状に固定したことを特徴とする。
【０００６】
上記のように構成された請求項１の発明によれば、コンテナストッパの掛止爪をツイストロックボックスの開口部の下縁に掛止することによってコンテナストッパを垂下状に支持できるため、固定部材としてのボルトによる組付作業をコンテナストッパの重量を人手で支えることなく楽にかつ安全に行うことが可能となる。
また、荷役作業時においては、コンテナストッパがコンテナに強く当たること等に原因して固定部材としてのボルトが折損したような場合でも、ツイストロックボックスの開口部に対する掛止爪の引っ掛かりによってコンテナストッパの脱落が防止される。
【０００７】
請求項２の発明は、請求項１に記載のスプレッダのコンテナストッパ取付構造において、前記ツイストロックボックス又は前記コンテナストッパには、掛止爪の掛止後における開口部の残留隙間を封鎖又は狭める補助ストッパを設けたことを特徴とする。
このような構成の請求項２の発明によれば、固定部材としてのボルトが折損した場合において、コンテナストッパに対して掛止爪を離脱するような向きに外力が働いても補助ストッパによって掛止爪の離脱が阻止されるため、コンテナストッパの落下防止効果がより高められる。
【０００８】
【発明の実施の形態】
以下、本発明の実施の形態を図面に基づいて具体的に説明する。まず、図１〜図３に基づいて第１の実施の形態を説明する。本実施の形態は二点吊りタイプのスプレッダに適用したものである。二点吊りタイプのスプレッダは、図３に示すように、左右方向に水平に延在するスプレッダフレーム１の左右両端部にツイストロックボックス２を備え、そのツイストロックボックス２にはコンテナＣ吊下用の各１個のツイストロック３がボックス底から突出した状態で水平回動可能に設けられている。そして、このツイストロック３はツイストロックボックス２内に設けられた図示省略のツイストシリンダによって９０度の範囲で往復回動されるようになっている。
【０００９】
スプレッダフレーム１はフォークリフトのマスト４に沿って昇降可能な昇降部材としてのリフトブラケット５に装着されている。従って、フォークリフトを運転して左右のツイストロック３をコンテナＣの吊孔Ｃ１（図１参照）の真上に位置決め後、そのツイストロック３を吊孔へ挿入して９０度水平回動することによって係合し、その後はスプレッダをリフトブラケット５と共に上昇することによってコンテナＣを吊り上げることができる。
【００１０】
上記のようなスプレッダによるコンテナＣの荷役作業時において、ツイストロック３の吊孔Ｃ１に対する前後方向の位置合わせのために、ツイストロックボックス２にはコンテナストッパ６が設けられている。以下、コンテナストッパ６の取付構造を図１及び図２に基づいて説明する。
図示のように、コンテナストッパ６はツイストロックボックス２の後面に沿ってツイストロック３よりも下方へ延在するように垂下状に配置される。コンテナストッパ６はツイストロック３との対向面である鉛直状の前面を位置合わせ面とし、かつ後面には補強用のリブを備えた縦長のプレートから構成され、その前面をコンテナＣの後端面に当接することによって吊孔Ｃ１に対するツイストロック３の位置合わせを行うようになっている。なお、コンテナストッパ６の下端部は後方へ傾斜されたガイド面となっている。
【００１１】
コンテナストッパ６の上端部には、ツイストロックボックス２の後壁に形成された四角形の開口部７に係脱可能な略Ｌ形の掛止爪８が形成され、その掛止爪８を開口部７の下縁に掛止した状態で、ツイストロックボックス２の壁面に当接する上側部分をツイストロックボックス２の後壁に設けたボルト孔２ａに挿通される固定部材としての複数のボルト９及びナット１０によって固定される。なお、ツイストロックボックス２は図示はしないが、一般にその上面が開閉可能な蓋板によって構成されており、従ってコンテナストッパ６の組付作業は蓋板を開放した状態で行われる。
【００１２】
上記のように構成された本実施の形態によれば、コンテナＣの荷役作業中において、コンテナストッパ６がコンテナＣに対して強く押し当てられること等に原因してボルト９が折損した場合であっても、コンテナストッパ６の掛止爪８がツイストロックボックス２の開口部７の下縁に掛止されているため、このことによってコンテナストッパ６の脱落が防止される。
また、コンテナストッパ６の組付作業時においては、掛止爪８を開口部７の下縁に掛止して垂下状に支持した状態で、ボルト９、ナット１０による組付作業を行い得るため、コンテナストッパ６が２０Kgを越えるような重量物であってもこれを一人の作業員が楽にかつ安全に組付けることができる。
【００１３】
次に、本発明の第２の実施の形態を図４に基づいて説明する。この実施の形態は、第１の実施の形態で説明した掛止爪８による脱落防止効果をより高めるために、さらに補助ストッパ１１を設置したものである。即ち、第１の実施の形態の場合、コンテナストッパ６の掛止爪８をツイストロックボックス２の開口部７の下縁に掛止した状態では、掛止爪８の上面と開口部７との間に掛止爪係脱用としての隙間が残留する。従って、コンテナストッパ６を固定しているボルト９が折損した状態でコンテナストッパ６に上向きの外力が作用した場合、掛止爪６が開口部７の下縁から外れる可能性がある。
【００１４】
このため、この第２の実施の形態では、開口部７に残留する隙間、即ち係脱用の残留隙間を封鎖若しくは狭めるように補助ストッパ１１を設けたものである。補助ストッパ１１は略Ｌ字形に形成され、コンテナストッパ６の取付け後において、その水平部を開口部７の残留隙間に差し込んだ状態で垂直部がボルト１２及びナット１３によりツイストロックボックス２の後壁に脱着可能に固定される。このことによって、開口部７の残留隙間が掛止爪８の開口部７下縁に対する掛止寸法よりも小さくなるため、コンテナストッパ６を固定しているボルト９の折損時にコンテナストッパ６が上方に押された場合であっても、掛止状態が保持され、ツイストロックボックス２からの脱落が確実に防止される。
【００１５】
なお、上記した実施の形態においては、２点吊りのスプレッダに適用した場合で説明したが、左右前後にそれぞれツイストロックを備えた４点吊りのスプレッダに適用できることは勿論である。また、ツイストロックボックス２の後壁に取り付ける場合で説明したが、その取付壁は後壁に限定されるものではない。また、第２の実施の形態における補助ストッパ１１はツイストロックボックス２に取り付ける代わりにコンテナストッパ６に取り付けるようにしてもよい。
【００１６】
【発明の効果】
以上詳述したように、本発明によれば、コンテナストッパに設けた掛止爪をツイストロックボックスに設けた開口部に掛止するようにしたことにより、コンテナストッパを固定している固定部材が折損した場合におけるコンテナストッパの落下を防止し、併せて組付性の向上を図ることができる。
【図面の簡単な説明】
【図１】第１の実施の形態に係るコンテナスプレッダ取付構造を示す断面図である。
【図２】同じく斜視図である。
【図３】二点吊りタイプのスプレッダを示す説明図である。
【図４】第２の実施の形態に係るコンテナスプレッダ取付構造を示す断面図である。
【図５】従来のコンテナスプレッダ取付構造を示す断面図である。
【図６】同じく斜視図である。
【符号の説明】
１…スプレッダフレーム
２…ツイストロックボックス
３…ツイストロック
６…コンテナストッパ
７…開口部
８…掛止爪
９…ボルト
１０…ナット
【図１】
0003743117.tif 000002
【図２】
0003743117.tif 000003
【図３】
0003743117.tif 000004
【図４】
0003743117.tif 000005
【図５】
0003743117.tif 000006
【図６】
0003743117.tif 000007